(57)【特許請求の範囲】
【請求項１】
一端には、多数の電線を束ねた状態で差し入れる為の開口部があり、他端は塞がれており、四周は基壁部材と、一方の側壁部材と、他方の側壁部材と、上壁部材で囲まれている細長い筒状のジョイントボックスであって、
ジョイントボックスの内径は多数の電線を寄せ合わせ状に束ねて挿入することを可能に太径にしてあり、
ジョイントボックスの長手方向の内部の長さは、上記多数の電線を束ねて成る結線束における夫々の被覆電線の部分と、剥離電線の部分と、コネクタの部分とを直線状態にした形態で収容できるに十分な長さにしてあり、
さらに、上記四周の壁部材の内、基壁部材の開口部側からは、多数の電線を束ねた状態で添え付け可能にする張出部を、深部方向とは反対の方向に向けて張出状に形成具備させてあり、
上記筒状ジョイントボックスの開口部にあっては、少数の電線を束ねた状態で、上記の張出部に添わせる位置からジョイントボックスの内部に向けて通過させる為の比較的小さな挿通空間を残して、他の残る空間を塞ぐように上記開口部の周囲壁の内の上記一方の側壁部材と、他方の側壁部材と、上壁部材から上記小さな挿通空間に向けて、夫々折り曲げ自在の弾力性を備える多数の弁体を並列状に延出させる状態で備えさせて、
上記開口部における上記小さな挿通空間に少数の電線を束ねた状態で、周囲壁の内の基壁部材に沿わせる状態で挿入して、通過させた状態では上記開口部における残りの空間は上記多数の弁体で塞がれ、
上記開口部における上記小さな挿通空間に向けて多数の電線を束ねた状態で挿入する場合には、その多数の電線を束ねた状態によって多数の弁体の先部が折れ曲がって押し広げられ、
上記多数の電線を束ねた状態の太さに対応した大きさの挿通空間が形成されるようにしてあり、
さらに、上記筒状ジョイントボックスの開口部における上記の小さな挿通空間の位置、形状は、少数の電線を束ねた状態で、かつ、それらの電線を上記張出部に添え付けた状態で筒状ジョイントボックスの内部に向けて貫通状の挿入を可能に、周囲壁の内の基壁部材の内側位置を下辺とするように偏在させ、かつ、上記の小さな挿通空間の両側と上側は、上記並列状の多数の弁体の自由端で囲まれる状態に形成してあり、
上記の張出部には、張出部に結線束を添え付けて結束する為の紐部材を挿通させる為の挿通孔が備えられ、
さらに、上記四周の壁部材の内、上壁部材の開口部側先端の位置は、上記結線束を結束する為の紐部材の上方にこれを操作する空間が得られるように張出部の先端部よりも短小にしてあることを特徴とするジョイントボックス。
【請求項２】
上記筒状ジョイントボックスの周囲の複数カ所には、上記筒状ジョイントボックスの基壁部材の裏側を造営材の面に対して取り付けるための連結片を側方に向けて突設具備させ、一方、上記筒状ジョイントボックスにおける基壁部材の建造物側の面は、その長手方向に向けて中央部が窪んで溝状となるように凹設させ、さらにその基壁部材の建造物側の面における凹設して溝状となっている部分には、凹設して溝状となっている部分に添わせる造営材側の吊り棒に対して掛合可能に突起部材を突設させ、
さらに上記基壁部材の建造物側の面の凹設の寸法は、上記吊り棒掛合用の突起部材が突設していても、筒状ジョイントボックスの基壁部材の建造物側の両側を造営材に当接させる状態で装着できるように、上記吊り棒掛合用の突起部材の突出寸法に対応する寸法だけ、凹設させたことを特徴とする請求項１記載のジョイントボックス。
【発明の詳細な説明】
【技術分野】
【０００１】  本発明は、屋内電気配線工事において多数の電線を束ねて成る結線束を絶縁カバーするジョイントボックスに関する。
【背景技術】
【０００２】  従来のジョイントボックスは、一端には多数の電線からなる結線束を差し入れる為の大きな口開部を形成し、他端は有底部とし、内部は、多数の電線からなる結線束を収納できるように細長く、全体は広々とした筒状に形成してある。さらに上記ジョイントボックス（以下単にボックスとも言う）に挿入した多数の電線の内、上記筒状ボックスにおける口開部に近い位置で、上記結線束を結束バンド等を用いてボックスと共に結束し、集約した状態にしてある。（例えば、特許文献１参照）【０００３】
【特許文献１】特開平９−２１３３８２公報
【発明の開示】
【発明が解決しようとする課題】
【０００４】  この従来のジョイントボックスにあっては、多数の電線からなる結線束が収納できるようにする為、筒状のボックスの内径は大きく形成され、またそれに伴ってボックスの入り口（開口部）も同様に大きく形成してある。
従ってボックス内に予定通り多数の電線からなる結線束を詰め込んだ場合は好都合であるが、ボックス内に挿入すべき電線の数が少なく、結線束が細い場合は、筒状のボックス内に大きな筒状の空間が残され、しかもその大きな空間は、ボックスの大きな開口部に連なっている。
従って、建造物の天井裏等において上記ジョイントボックスを建造物の横架材、例えば梁に添え付けた場合などにおいては、上記ジョイントボックスにおける大きな開口部から、内部の大きな筒状空間に「ねずみ」が入り、そこに住み付き、電線相互の結束部（コネクタの部分）に糞尿を掛けて電線相互の短絡事故、或いは腐食を促進させて断線事故を誘起する危険があった。また「蜘蛛」や、他の「虫」が入って、安全点検作業の邪魔をする問題点もあった。【０００５】  本件出願の目的は、多数の電線を束ねて成る結線束における夫々の被覆電線の部分と、剥離電線の部分と、コネクタの部分とを直線状態にした形態で収容できるジョイントボックスを提供しようとするものである。
他の目的は、上記電線を束ねて成る結線束の太さが、電線多数に基づき太い径（大嵩）になった場合でも、電線少数に基づき細い径（小嵩）になった場合でも、夫々収納できるようにしてあるジョイントボックスを提供しようとするものである。
他の目的は、ボックスに挿入すべき電線が少数で細い径（小嵩）になった場合、上記ジョイントボックスにおける大きな開口部は自然に塞がれ、内部の大きな筒状空間に対して「ねずみ」が入り難くなるようなジョイントボックスを提供しようとするものである。【０００６】  他の目的は、ボックスに挿入すべき電線が少数で細い径（小嵩）になった場合、上記ジョイントボックスにおける大きな開口部は自然に塞がれるようにしたものであっても、上記電線を束ねて成る結線束の太さが、電線多数に基づき太い径（大嵩）になった場合は、上記開口部は結線束の太さに対応して、必要な寸法だけ大きくなり、電線多数に基づき太い径（大嵩）になった結線束を挿入できるようになるジョイントボックスを提供しようとするものである。
他の目的は、一端に多数の電線を束ねて成る結線束を差し入れる為の開口部があり、他端は塞がれている細長い筒状のジョイントボックスであって、ジョイントボックスの長手方向の内部の長さは、上記多数の電線を束ねて成る結線束における夫々の被覆電線の部分と、剥離電線の部分と、コネクタの部分とを直線状態にした形態で収容できるに十分な長さにしてあるジョイントボックスを吊り棒に好ましい対応で連結できるようにするジョイントボックス用の止具を提供しようとするものである。
他の目的及び利点は図面及びそれに関連した以下の説明により容易に明らかになるであろう。
【課題を解決するための手段】
【０００７】  本願発明におけるジョイントボックスは、
一端には、多数の電線を束ねた状態で差し入れる為の開口部があり、他端は塞がれており、四周は基壁部材と、一方の側壁部材と、他方の側壁部材と、上壁部材で囲まれている細長い筒状のジョイントボックスであって、
ジョイントボックスの内径は多数の電線を寄せ合わせ状に束ねて挿入することを可能に太径にしてあり、
ジョイントボックスの長手方向の内部の長さは、上記多数の電線を束ねて成る結線束における夫々の被覆電線の部分と、剥離電線の部分と、コネクタの部分とを直線状態にした形態で収容できるに十分な長さにしてあり、
さらに、上記四周の壁部材の内、基壁部材の開口部側からは、多数の電線を束ねた状態で添え付け可能にする張出部を、深部方向とは反対の方向に向けて張出状に形成具備させてあり、
上記筒状ジョイントボックスの開口部にあっては、少数の電線を束ねた状態で、上記の張出部に添わせる位置からジョイントボックスの内部に向けて通過させる為の比較的小さな挿通空間を残して、他の残る空間を塞ぐように上記開口部の周囲壁の内の上記一方の側壁部材と、他方の側壁部材と、上壁部材から上記小さな挿通空間に向けて、夫々折り曲げ自在の弾力性を備える多数の弁体を並列状に延出させる状態で備えさせて、
上記開口部における上記小さな挿通空間に少数の電線を束ねた状態で、周囲壁の内の基壁部材に沿わせる状態で挿入して、通過させた状態では上記開口部における残りの空間は上記多数の弁体で塞がれ、
上記開口部における上記小さな挿通空間に向けて多数の電線を束ねた状態で挿入する場合には、その多数の電線を束ねた状態によって多数の弁体の先部が折れ曲がって押し広げられ、
上記多数の電線を束ねた状態の太さに対応した大きさの挿通空間が形成されるようにしてあり、
さらに、上記筒状ジョイントボックスの開口部における上記の小さな挿通空間の位置、形状は、少数の電線を束ねた状態で、かつ、それらの電線を上記張出部に添え付けた状態で筒状ジョイントボックスの内部に向けて貫通状の挿入を可能に、周囲壁の内の基壁部材の内側位置を下辺とするように偏在させ、かつ、上記の小さな挿通空間の両側と上側は、上記並列状の多数の弁体の自由端で囲まれる状態に形成してあり、
上記の張出部には、張出部に結線束を添え付けて結束する為の紐部材を挿通させる為の挿通孔が備えられ、
さらに、上記四周の壁部材の内、上壁部材の開口部側先端の位置は、上記結線束を結束する為の紐部材の上方にこれを操作する空間が得られるように張出部の先端部よりも短小にしたものである。【０００８】  また好ましくは、上記筒状ジョイントボックスの周囲の複数カ所には、上記筒状ジョイントボックスの基壁部材の裏側を造営材の面に対して取り付けるための連結片を側方に向けて突設具備させ、一方、上記筒状ジョイントボックスにおける基壁部材の建造物側の面は、その長手方向に向けて中央部が窪んで溝状となるように凹設させ、さらにその基壁部材の建造物側の面における凹設して溝状となっている部分には、凹設して溝状となっている部分に添わせる造営材側の吊り棒に対して掛合可能に突起部材を突設させ、
さらに上記基壁部材の建造物側の面の凹設の寸法は、上記吊り棒掛合用の突起部材が突設していても、筒状ジョイントボックスの基壁部材の建造物側の両側を造営材に当接させる状態で装着できるように、上記吊り棒掛合用の突起部材の突出寸法に対応する寸法だけ、凹設させたものであればよい。【０００９】    また好ましくは、  一端には、多数の電線を束ねた状態で差し入れる為の開口部があり、他端は塞がれており、四周は基壁部材と、一方の側壁部材と、他方の側壁部材と、上壁部材で囲まれている細長い筒状のジョイントボックスであって、ジョイントボックスの内径は多数の電線を寄せ合わせ状に束ねて挿入することを可能に太径にしてあり、
ジョイントボックスの長手方向の内部の長さは、上記多数の電線を束ねて成る結線束における夫々の被覆電線の部分と、剥離電線の部分と、コネクタの部分とを直線状態にした形態で収容できるに十分な長さにしてあり、
さらに、上記四周の壁部材の内、基壁部材の開口部側からは、多数の電線を束ねた状態で添え付け可能にする張出部を、深部方向とは反対の方向に向けて張出状に形成具備させ、
上記の張出部には、張出部に結線束を添え付けて結束する為の紐部材を挿通させる為の挿通孔が備えられ、
さらに、上記四周の壁部材の内、上壁部材の開口部側先端の位置は、上記結線束を結束する為の紐部材の上方にこれを操作する空間が得られるように張出部の先端部よりも短小にしてある筒状のジョイントボックスを用意し、
一方、上記筒状ジョイントボックスの開口部においては、一方の側壁部材と、他方の側壁部材と、上壁部材の夫々の開口部側の形状に対応した大きさを有する弁体支持枠を弾力性を備える別材で形成し、その弁体支持枠の内側には、装着状態において、上記筒状ジョイントボックスの開口部にあって、少数の電線を束ねた状態で、上記の張出部に添わせる位置からジョイントボックスの内部に向けて通過させる為の比較的小さな挿通空間を残して、他の残る空間を塞ぐように上記開口部の周囲壁の内の上記一方の側壁部材と、他方の側壁部材と、上壁部材から上記小さな挿通空間に向けて、夫々折り曲げ自在の弾力性を備える多数の弁体を並列状に延出させる状態で備えさせて、上記開口部における上記小さな挿通空間に少数の電線を束ねた状態で通過させた状態では上記開口部における残りの空間は上記多数の弁体で塞がれ、上記開口部における上記小さな挿通空間に向けて多数の電線を束ねた状態で挿入する場合には、その多数の電線を束ねた状態によって多数の弁体の先部が折れ曲がって押し広げられ、上記多数の電線を束ねた状態の太さに対応した大きさの挿通空間が形成されるようにしてあり、
さらに、上記筒状ジョイントボックスの開口部における上記の小さな挿通空間の位置、形状は、少数の電線を束ねた状態で、かつ、それらの電線を上記張出部に添え付けた状態で筒状ジョイントボックスの内部に向けて貫通状の挿入を可能に、周囲壁の内の基壁部材の内側位置を下辺とするように偏在し、かつ、上記の小さな挿通空間の両側と上側は、上記並列状の多数の弁体の自由端で囲まれる状態にされるようにしてある弁体支持枠を用意し、上記筒状のジョイントボックスの開口部に対して、上記別材形成による弁体支持枠を嵌着一体化させるジョイントボックスの製造方法であればよい。
【発明の効果】
【００１０】  以上のように本願発明は、多数の電線を束ねた状態でもって夫々の被覆電線の部分と、剥離電線の部分と、コネクタの部分とを直線状態にした形態で収容できるので、従来のように収納用電線を丸める等の手数が掛からず、迅速かつ電線を傷めることなく収納できる効果がある。【００１１】  その上本願発明にあっては、ジョイントボックスの内径は、多数の電線を束ねて差し入れ可能に大きく、しかもジョイントボックスの開口部も多数の電線を束ねた状態で差し入れ可能に大きく形成してあるので、多数の電線を束ねた状態でもって差し入れ、収納できる効果がある。
しかも本願発明にあっては、ジョイントボックスの内径も、ジョイントボックスの開口部も多数の電線を束ねた状態でもって差し入れ可能に大きく形成してあっても、ボックスに挿入すべき電線が少数で細い径（小嵩）になった場合、上記ジョイントボックスにおける大きな開口部は、防ゴミ弁体によって自然に塞がれ、内部の大きな筒状空間に対して「ねずみ」等が入り難くなり、電気事故を防止するうえにおいて著しい効果がある。
また本願発明における防ゴミ弁体は、上記電線を束ねた状態の太さが、電線多数に基づき太い径（大嵩）になった場合は、電線束の太さに対応して大きくなり、労せずして電線多数を挿入できるようになる作業上の効果もある。【００１２】  さらに本願発明にあっては、筒状ジョイントボックスの開口部においては、四周の壁部材の内、基壁部材２の開口部側からは、多数の電線を束ねた状態で添え付け可能にする張出部２ａを、深部方向とは反対の方向に向けて張出状に形成具備させ、しかも、筒状ジョイントボックスの開口部における上記の小さな挿通空間２６の位置、形状は、少数の電線を束ねた状態で、かつ、それらの電線を上記張出部に添え付けた状態で筒状ジョイントボックスの内部に向けて貫通状の挿入を可能に、基壁部材２の側に偏在させてあるから、筒状ジョイントボックスの内部に向けて結線束Ｗを挿入する場合には、周囲壁１の内の基壁部材２の張出部に結線束Ｗを添え付け、かつ整然と並んだ状態で挿入することができる作業上の効果がある。
【発明を実施するための最良の形態】
【００１３】  以下本願発明の実施の形態を図面を用いて説明する。図１乃至図１０において、Ａは、内部７に多数の電線５０を束ねて成る結線束Ｗを収納できるように大きな内径でもって中空にしてある筒状のジョイントボックスを示し、通常知られているように絶縁性と不燃性、自消性のある難燃性を有する合成樹脂材料、例えば塩ビで形成されている。なお合成樹脂材料としては、透明性のある塩ビを用いれば、ボックスＡの内部の状態を外部から透視する事が可能になる。【００１４】  ボックスＡは、平面図である図１、ＩＩ−ＩＩ線断面図である図２に示されるように、四周が基壁部材２、側壁部材３、３、上壁部材４でなる周囲壁１で囲まれており、他端５は壁部材５で塞がれている。平面図である図１における右側の一端Ａ１には、多数の電線５０を束ねて成る結線束Ｗを差し入れる為に大きく開口させた開口部６がある。
ボックスＡの長手方向の内部の長さは、通常知られているように上記多数の電線を束ねて成る結線束Ｗにおける夫々の被覆電線の部分５０と、剥離電線の部分５１と、多数の電線の内任意の複数の電線相互を結線するためのコネクタの部分５２とを図１から明らかなように直線状態にした形態で収容できるに十分な長さにしてある。【００１５】２ａはボックスＡの基壁部材２から一体材で張出状に形成されている張出部を示す。ここには結線束Ｗを添え付けると共に結線束ＷをボックスＡに縛り付けるための紐部材２９が備えさせてある。紐部材２９としては任意の紐類であればよく、周知のインシュロック等でも良い。
１７，１７は夫々紐部材２９を挿通させる為のもので、図３，図６に現れるような横長の長孔を示す。２ｂは張出部２ａの先端部を示す。
上記基壁部材２は、周囲壁１における他の壁部材と一体材で形成したものであり、図２、３、図７、図８、９、１０に表れているように、夫々ボックスＡを建造物側の梁４２ａや天井板の面に添え付け一体化させる場合に基壁部材の建造物側２ｆを対接させるようにした建造物側の壁部材である。２ｅは基壁部材のボックス内面側を示す。
なお、上記長孔１７，１７と、上壁部材４の開口部側先端４ｂの位置関係は図１から明らかなようにインシュロック２９（紐部材２９）の上方にこれを操作する空間が得られるように張出部２ａの先端部２ｂよりも短小にしてある。
ボックスＡにおける周囲壁１の開口部側先端４ｂの位置から僅かに内側に入った位置においては図２に表れているように内周に防ゴミ弁体２２装着用の嵌着用凹部１ａ、１ａ・・１ａが形成されている。【００１６】  ボックスＡの周囲に突出した状態で表れている連結片１０、１０，１０（図１，図７参照）は、ボックスＡと一体的に形成してあり、図３、図８，９，１０に示されているような態様において利用されるものであり、梁４２ａに対してボックスＡを固着する場合、吊り棒４２ｂに対してボックスＡを装着する場合に利用されるものである。１１は、図８のように止具３１を固定するための主杆、１２は止具３１が脱出するのを防止するための掛合片、１３は、ボックスＡを釘止めする場合、釘等を挿通して打込む為の孔、１４は間隙、１５はガイド片を示す。【００１７】  次に上記ボックスＡの開口部６に備えさせてある防ゴミ弁体２２は、ボックスＡとは異なる材料でもって別体に形成してある。防ゴミ弁体２２において、２３はボックスＡの内壁面１ｂに添え付ける為の弁体支持枠を示し、これの外周面には、図２に表れているように複数の装着部（装着爪）２７が突設してあり、ボックスＡの内壁面１ｂの対応箇所に夫々備えさせた嵌着用凹部１ａ、１ａ・・１ａに対して夫々着脱自在の構成により嵌合させてある。
２４は、夫々折り曲げ自在の弾力性を備える多数の弁部材を示し、図２に表れているように支持枠２３の側枠側部材２３ｂ、２３ｂ、前枠側部材２３ｃから夫々挿通空間２６に向けて延設してある。２５は多数の弁部材相互間にある切れ目を示す。【００１８】  上記防ゴミ弁体２２は、折り曲げ自在の弾力性を備える多数の弁部材２４を備えさせるものであるから、比較的硬質の材料で形成されるボックスＡとは異なる弾力性を備える別の材料である合成樹脂材料、例えばポリエチレンであっても良いし、難燃性を有するその他の材料で全体を一体に形成する。
上記の弁部材２４，２４，２４・・は図２、３に表れているように四周の壁部材の内、一方の側壁部材３と、他方の側壁部材３と、上壁部材４から挿通空間２６に向けて伸びており、弁部材２４，２４，２４・・の各自由端２４ａで囲まれて形成されている挿通空間２６の大きさは、少数の電線を束ねて成る結線束Ｗを通過させ得る程度の比較的小さな挿通空間２６であればよい。
この挿通空間２６は、四周の壁部材の内、一方の側壁部材３と、他方の側壁部材３と、上壁部材４から夫々挿通空間２６に向けて伸びている弁部材２４，２４，２４・・の各自由端２４ａで囲まれて形成されていて、その形状は、例えば図２、４、７において表れているように上記四周の壁部材の内、下側に位置する基壁部材２の内側位置を下辺として図２、６、７に表れているような形状に形成される。
従って大きな開口部６における空間２６以外の他の残る空間は、図２のように上記開口部の周囲壁１から上記小さな挿通空間２６に向けて、夫々折り曲げ自在の弾力性を備える多数の弁体（弁部材）２４を並列状に延出させ、塞いでいる事ことになる。
このような構成によれば、上記開口部６における上記小さな挿通空間２６に、少数の電線５０を束ねて成る結線束Ｗを通過させた状態では上記開口部６における弁部材２４，２４，２４・・の各自由端２４ａは、少数の電線５０を束ねて成る結線束Ｗの周囲を取り囲む事になり、残りの空間２６ａは上記多数の弁部材２４，２４，２４・・で構成される防ゴミ弁体２２で塞ぐことになる。【００１９】  次に、上記防ゴミ弁体２２を備える開口部６に対して、上記小さな挿通空間２６に向けて多数の電線を束ねて成る比較的太い外形の結線束Ｗを挿入する場合について説明する。上記弁部材２４，２４，２４・・の夫々は元部側２４ｂを曲がり難く、例えば図示のように比較的広幅にし、自由端２４ａ側を曲がり易くしてある。従って、多数の電線を束ねて成る結線束Ｗによって多数の弁部材２４，２４，２４・・の先部が夫々図１、図３で示されるように折れ曲がって押し広げられ、上記多数の電線を束ねて成る結線束Ｗの太さに対応した大きさの挿通空間２６を形成し、残りの空間は塞がれた状態で残すことができる。【００２０】  次にボックスＡにおける周囲壁１の内周に設けられている嵌着凹部１ａに対する防ゴミ弁体２２の装着について説明する。まずボックスＡにおける周囲壁１の内側に対して開口部６から防ゴミ弁体２２を挿入する。次に周囲壁１の内周に設けられている複数の嵌着凹部１ａに対して夫々防ゴミ弁体２２の支持枠２３における後枠側部材２３ａ、側枠側部材２３ｂ、前枠側部材２３ｃの夫々における外周に対して一体的に配設されている装着部（装着爪）２７，２７・・２７を対応合着させることにより装着は完了する。この場合ボックスＡにおける周囲壁１は弾力を備えており多少の変形が可能であると共に防ゴミ弁体２２の部材は比較的充分な弾力性を有しているので、両者の嵌着は比較的容易である。【００２１】  次に図４に示されるボックスＡにおける周囲壁１に装着されている防ゴミ弁体２２は、図２における防ゴミ弁体２２の異なる例を示すものである。図２における防ゴミ弁体２２の弁部材２４は支持枠２３から夫々分離した状態で上記小さな挿通空間２６に向けて延設してあったが、図４に示される防ゴミ弁体２２は、支持枠２３近くにおいては切り分けされることなく、一体膜状に形成されており、上記小さな挿通空間２６の近くにおい切目２５にて夫々独立して弾力的に折れ曲がり可能に形成してある。この図４に示される防ゴミ弁体２２においても、上記した図１、図２に示される防ゴミ弁体２２と同様に、少数の電線を束ねて成る結線束Ｗに対しても、また、多数の電線を束ねて成る太径の結線束Ｗに対しても対応でき、同じような機能を発揮するのである。【００２２】  次にボックスＡにおける周囲壁１の内周に対する防ゴミ弁体２２の装着は図５のようにしても良い。まずボックスＡにおける周囲壁１にあっては、開口部より深部側に僅かに寄せた位置を全周に渡って太径に構成し、その内側に深部方向に幅広くした嵌着凹部１ｅを形成する。この嵌着凹部１ｅは周囲壁１の内周の全周に渡って周設する。さらに念のため、係合し易い断面楔形形状の凹部１ｆを内周の全周に渡って周設する。次に防ゴミ弁体２２の支持枠２３は、図５のように周囲壁１の内周の全周���渡って周設された嵌着凹部１ｅに対応する断面形状に構成し、更に図５のようにその中間の外周に上記断面楔形形状の凹部１ｆに対応する形状にした係合すじ２７ｂを周設具備させる。このように構成された両者（１，２２）は上記図１，２の場合と同様に嵌着状に結合し、図５の状態に一体化する。【００２３】  次にボックスＡにおける周囲壁１の内周に対する防ゴミ弁体２２の装着は図６のようにしても良い。まず図１のボックスＡにおける周囲壁１にあっては、これの開口部に近い位置を図６のように全周に渡って太径に構成する。さらに太径に構成されている部分の内面には、係合し易い断面楔形形状の凹部１ｆを内周の全周に渡って周設する。次に防ゴミ弁体２２の支持枠２３は、図６のように周囲壁１の太径に構成されている部分に対応する断面形状に構成し、更に図６のように図中上下方向の中間の外周に上記断面楔形形状の凹部１ｆに対応する形状にした係合すじ２７ｂを周設具備させ、係合一体化させる。この場合、図６のように周囲壁１の太径に構成されている部分に設けられている挿通孔１７（図１に示される長孔１７と同様の機能を有する長孔）と、同形状の長孔を防ゴミ弁体２２の支持枠２３の部材に対しても備えさしておき、両者の孔が重合するようにしておくと、使用状態においては図１のように紐部材２９で両者は拘束され一体化を維持する上に効果がある。
このように構成された両者（１，２２）は上記図１，２の場合と同様に結合し、図６の状態で一体化させて利用できる。【００２４】  図７の（Ａ）（Ｂ）は、ボックスＡの基壁部材２における建造物側の面に一体的に設けられている掛合用突起部材１９を説明する為のものである。一般に建造物における天井部分には、諸々の設備を装着するために予め垂下状の吊り棒４２ｂが多数備えられている。これらの垂下状の吊り棒４２ｂを利用してボックスＡを建造物に取り付ける場合は、図８、図９，図１０に示されるように止具３１を用いてボックスＡを吊り棒４２ｂに装着する。その場合、ボックスＡの基壁部材２における建造物側の面に対して予め２つの掛合用突起部材１９と、それらの間に吊り棒存置用の凹部２０が形成されていると吊り棒４２ｂに対するボックスＡの位置関係を安定した状態にすることができる。
なお図７（Ｂ）は、梁４２の上面に対してボックスＡを図示の如く横に寝かせて乗載し、釘３７ａを両側に位置する連結片１０の打込孔１３を貫通させてボックスＡを図示の如く装着する場合に、
さらに上記基壁部材は、上記吊り棒掛合用の突起部材１９が突設していても、上記２つの掛合用突起部材１９が邪魔になること無く、筒状ジョイントボックスの側方に突設した連結片１０を造営材４２ａに装着できるように、上記基壁部材の建造物側の面は、図７から理解できるように吊り棒掛合用の突起部材の突出寸法に対応する寸法だけ長手方向に向けて中央部が窪んだ溝状に凹設させた。例えばボックスＡの基壁部材２を図７のようにアーチ状に湾曲させ、基壁部材２の両側が、図７（Ｂ）に表れてように造営材４２ａの面に当接可能にした例を示すものである。【００２５】  また図７（Ｂ）は、ボックスＡの開口部側からボックスＡの深部方向（他端の壁部材方向）を眺めるものであるが、ここに現れている防ゴミ弁体２２は、図１〜図３における防ゴミ弁体２２と同様の用途、機能を持たせるものであり、弁部材２４も前記と同様に弾力性を有し、少数の電線を束ねて成る結線束Ｗに対しても、また、多数の電線を束ねて成る太径の結線束Ｗに対しても前述と同様に対応できるように構成してある。尚図７（Ｂ）弁部材２４の元部側２４ｂには、任意形状からなる透孔２４ｄを備えさせ元部側２４ｂにおいても軽い力で弾力的な曲げ効果が得られるようにしてある。【００２６】  図８の（Ａ）（Ｂ）は、上記垂下状の吊り棒４２ｂを利用してボックスＡを建造物に取り付ける場合に用いられる止具３１を説明する為の図である。止具３１において、３２は弾力性のある金属で形成されているＵ字形に形成されている連携帯を示し、３３は内側に吊り棒４２ｂを挿通する空間を備える抱持部、３３ａは滑り止め用の凹凸面、３４ａ、３４ｂは連携帯３２の両端に一体的に備えさせた締付部材、３４ｄと３４ｅはそれら一対の締付部材に形成してある雌ねじ孔と、透孔を示す。
上記構成の止具３１にあっては、図８に示されているようにボックスＡにおける基壁部材２の建造物側２ｆを吊り棒４２ｂに沿わせ、図８（Ｂ）の３４ａ、３４ｂの締付部材相互を離反させるように広げ、抱持部３３に吊り棒４２ｂを位置させると共に連結片１０の１部である主杆１１をも共存させる。その場合、間隙１４を利用する。次に図８（Ａ）のように一対の締付部材３４ａ、３４ｂの相互を重合状に寄せ合わせ、押しネジ３５を雌ねじ孔３４ｄに螺合させ、透孔３４ｅを挿通させて図８（Ａ）のように押しネジ３５の先端を主杆１１に押し当てて締着する。このようにして吊り棒４２ｂに対するボックスＡの装着がなされる。【００２７】  図９の（Ａ）（Ｂ）は、図８の（Ａ）（Ｂ）に示される止具３１と同様の用途に用いられる止具３７を示すものである。止具３７において、３８は弾力性のある１つの金属板で形成されている連携帯を示し、３３は内側に吊り棒４２ｂを挿通する空間を備える抱持部、３３ａは滑り止め用の凹凸面、
３９ａ、３９ｂは連携帯３８の両端に備えさせた一対の引掛部材で、３９ｃは凸部、３９ｄは凹部を示す。４０は、連携帯３８おける基部３８ａ（主杆１１に図示の如く対向させる部分）に設けられている雌ねじ孔。
上記構成の止具３７にあっては、図９に示されているようにボックスＡにおける基壁部材２の建造物側２ｆを吊り棒４２ｂに沿わせ、図９（Ｂ）の一対の引掛部材３９ａ、３９ｂにおける凸部３９ｃと凹部３９ｄとを相互を離反させるように広げ、抱持部３３に吊り棒４２ｂを位置させると共に主杆１１をも抱持部３３に共存させる。次に図９（Ａ）のように一対の凸部３９ｃと凹部３９ｄとを相互に噛み合わせ、Ｕ字形に構成し、押しネジ３５を雌ねじ孔４０に螺合させ、図９（Ａ）のように押しネジ３５の先端を主杆１１に押し当てて締着する。このようにして吊り棒４２ｂに対するボックスＡの装着がなされる。【００２８】    図１０は、垂下状の吊り棒４２ｂを利用してボックスＡを建造物に取り付ける場合、ボックスＡの「他端の壁部材５」の側（深部の方向）を上方にしたり、横方向に寝かせた状態にしたりして装着することができる事例を示すものである。【００２９】  なおこの明細書において上下左右等、方向を示唆する記述に関しては、図１の上壁部材４が上部に位置する使用態様（図３の状態）において命名したものであり、壁部材５を上部にしたり、壁部材３を上にして横に寝かせた状態で用いる場合は、上下左右等、方向を示唆する表現は当然異なることになる。
また、図１乃至図１０の説明に当り、先に説明された他の図のものと構成、部材等の機能、性質、特徴等が同旨と考えられるものには同符号を付し重複する説明を一部省略したのでこの点理解されたい。【００３０】    上記図１〜図３に記載されている構成の周囲壁（四周と他端の壁）１と、防ゴミ弁体２２とから成るボックスＡの組立作業においては、周囲壁１における開口部６から周囲壁１の内部に向けて防ゴミ弁体２２を挿入する。その場合、防ゴミ弁体２２の周囲の支持枠２３に配置してある装着爪２７が、図２のように夫々対応する嵌着凹部１ａに入り込むように挿入する。これにより周囲壁１の内部に対する防ゴミ弁体２２の装着は完了する。
なお、図４、図５、図６、図７に示されるボックスＡにおいても夫々周囲壁１の内部に対する防ゴミ弁体２２の図示のようにする装着は同様の考え方で簡単に装着できる。【００３１】  上記構成のものにおいて、電気工事現場においてボックスＡを使用する状態は次の通りである。
１つとして、ボックスＡにおける周囲壁１の内部に対し、図１に示される多数の電線を束ねて成る結線束Ｗを挿入する。その場合、結線束Ｗの先頭（コネクタ５２）は小さな挿通空間２６を目印にしてそこに向けて挿入する。すると結線束Ｗの全体は、基壁部材のボックス内面側２ｅに沿わせる状態で、かつ、整然とした並列状態でボックスＡ内に挿入することができる。
２つとして、ボックスＡを図１、２、図３〜、図１０に示される任意の状態で建造物に沿わせ、任意の止具で固着する。
３つとして、任意の紐部材、例えばインシュロックで上記結線束Ｗを図１、図３のように結束する。この場合、結線束Ｗと吊り棒４２ｂを一緒に縛っても良い。
上記１と２の工程は好みの順番で良い。【００３２】  なお上記開口部６における上記小さな挿通空間２６に２，３本等の少数の電線を束ねて成る結線束Ｗを通過させた状態では、上記大きな開口部６における残りの空間は上記多数の弁体２４で塞がれる。従ってネズミ、その他の虫類はボックスＡの内に入ることはできなくなる。
上記開口部６における上記小さな挿通空間２６に向けて多数の電線を束ねて成る結線束Ｗを挿入する場合には、その多数の電線を束ねて成る結線束Ｗの外径は上記小さな挿通空間２６よりも大きくなるのであるから、結線束Ｗによって多数の弁体２４の先部２４ａは折れ曲がって押し広げられ、上記多数の電線を束ねて成る結線束Ｗの太さに対応した大きさの挿通空間を形成することになる。斯かる場合においても、残りの空間（図３参照）２６ａは上記多数の弁体２４の元部側で塞がれる。従ってこの状態においてもネズミ、その他の虫類はボックスＡの内に入ることはできなくなる。
【図面の簡単な説明】
【００３３】
【図１】筒状のジョイントボックスと防ゴミ弁体と結線束との関係を示す一部破断平面図。
【図２】（Ａ）は、図１のＩＩ−ＩＩ線断面図、（Ｂ）は、嵌着凹部１ａと装着部（装着爪）２７との関係を示す１部破断図、（Ｃ）は、Ｃ−Ｃ断面図。
【図３】図１のＩＩＩ−ＩＩＩ線断面図。
【図４】図２（Ａ）の防ゴミ弁体とは異なる防ゴミ弁体の例を示す側面図。
【図５】図２の周囲壁に対する防ゴミ弁体の装着構造とは異なる装着構造の例を示す部分断面図。
【図６】（Ｃ）は、図２の周囲壁に対する防ゴミ弁体の装着構造とは異なる装着構造の例を示す部分断面図、（Ｂ）は、結合直前の状態を示す分解断面図、（Ａ）は側面図。
【図７】（Ａ）は、筒状のジョイントボックスの背面図、（Ｂ）は、筒状のジョイントボックスの側面図。
【図８】（Ａ）は、筒状のジョイントボックスを吊り棒に装着するための止具の使用例を説明するための１部破断図、（Ｂ）は、止具の斜視図。
【図９】止具の異なる例を示すもので、（Ａ）は、止具の使用例を説明するための一部破断図、（Ｂ）は、止具の斜視図。
【図１０】図１のジョイントボックスの使用例を説明するための一部破断正面図。
【符号の説明】
【００３４】ｗは結線束、Ａは筒状のジョイントボックス、１は周囲壁（四周と他端の壁）、１ａは嵌着凹部、２は基壁部材（建造物側の壁部材）、２ａは張出部、２ｂは張出部先端、２ｅは基壁部材のボックス内面側、２ｆは基壁部材の建造物側、３は側壁部材、４は上壁部材、５は他端の壁部材、６は一端の開口部、７は空間、１０は連結片、１１は主杆、１２は掛合片、１３は打込孔、１４は間隙、１５は側片、１７は挿通孔（長孔）、１９は掛合用突起部材、２０は凹部、２２は防ゴミ弁体、２３は支持枠、２４は弁部材、２５は切れ目、２６は比較的小さな挿通空間、２７は装着部（装着爪）、２９は紐部材（インシュロック）、３１は止具、３２は連携帯、３３は抱持部、３３ａは滑り止め、３４ａ、３４ｂは締付部材、３５は押しネジ、３７は止具、３８は連携帯、３９ａ、３９ｂは一対の引掛部材、４０は雌ねじ孔、４２ｂは吊り棒、４２ａは梁、５０は被覆電線、５１は剥離電線、５２はコネクタ。
【図１】
0005131800.tif 000002
【図２】
0005131800.tif 000003
【図３】
0005131800.tif 000004
【図４】
0005131800.tif 000005
【図５】
0005131800.tif 000006
【図６】
0005131800.tif 000007
【図７】
0005131800.tif 000008
【図８】
0005131800.tif 000009
【図９】
0005131800.tif 000010
【図１０】
0005131800.tif 000011